(57)【要約】【課題】進展ジョブの印刷時に様々な設定が可能であり、親展ジョブ受信者が期待するフォーマットでの印刷出力結果を得ることができる印刷装置を提供する。【解決手段】複数給紙段７、複数排紙段８、パンチ及びステープルを含む後処理装置９、ユーザー入力手段１７（ユーザーＩ／Ｆ５）、データ蓄積用記憶媒体２を装備し、暗証番号付きの受信ジョブをデータ蓄積用記憶媒体２へ蓄積し、ユーザー入力手段１７からの暗証番号入力により印刷を開始する親展印刷機能を有する。【選択図】      図１
2004148683.tif 000002
【特許請求の範囲】
【請求項１】
複数の給紙段、複数の排紙段、パンチ及びステープルを含む後処理装置、ユーザー入力手段、データ蓄積用記憶媒体を装備し、暗証番号付きの受信ジョブをデータ蓄積用記憶媒体へ蓄積し、ユーザー入力手段からの暗証番号入力により印刷を開始する親展印刷機能を有することを特徴とする印刷装置。
【請求項２】
請求項１記載の印刷装置において、印刷時に、ユーザー入力手段から印刷部数が指定可能であることを特徴とする印刷装置。
【請求項３】
請求項２記載の印刷装置において、ユーザー入力手段からさらにソート印刷が指定可能であることを特徴とする印刷装置。
【請求項４】
請求項１記載の印刷装置において、印刷時に、ユーザー入力手段からスタンプが指定可能であることを特徴とする印刷装置。
【請求項５】
請求項１記載の印刷装置において、印刷時に、ユーザー入力手段からページ番号付加が指定可能であることを特徴とする印刷装置。
【請求項６】
請求項１記載の印刷装置において、印刷時に、ユーザー入力手段から紙種が指定可能であることを特徴とする印刷装置。
【発明の詳細な説明】
【０００１】
【発明の属する技術分野】
本発明は、印刷装置に関し、特に親展印刷技術に関するものである。
【０００２】
【従来の技術】
暗証番号をジョブに添付し、操作パネルから暗証番号を入力しないと印刷が開始されない親展印刷機能を有する印刷装置（画像形成装置）は一般に知られている。ただし現在の親展印刷では暗証番号を入力し、文書を選択するだけなので、出力のフォーマットはジョブ送信時に設定したものとなる。
【０００３】
【発明が解決しようとする課題】
従来の親展印刷機能を有する印刷装置においては、親展ジョブ送信者と親展ジョブ受取り者（実際に印刷を開始する者）が異なる場合、必ずしも親展ジョブ受取り者が期待するフォーマットで印刷出力されない。
そこで本発明では、親展ジョブの印刷時に様々な設定が可能であり、親展ジョブ受信者が期待するフォーマットでの印刷出力結果を得ることができる印刷装置を提供することを目的とする。
【０００４】
【課題を解決するための手段】
上記目的を達成するために、請求項１記載の発明は、複数給紙段、複数排紙段、パンチ及びステープルを含む後処理装置、ユーザー入力手段、データ蓄積用記憶媒体を装備し、暗証番号付きの受信ジョブをデータ蓄積用記憶媒体へ蓄積し、ユーザー入力手段からの暗証番号入力により印刷を開始する親展印刷機能を有する印刷装置を最も主要な特徴とする。
請求項２記載の発明は、請求項１記載の印刷装置において、ユーザー入力手段から印刷時に印刷部数が指定可能である印刷装置を主要な特徴とする。
請求項３記載の発明は、請求項２記載の印刷装置において、ユーザー入力手段からさらにソート印刷が指定可能である印刷装置を主要な特徴とする。
請求項４記載の発明は、請求項１記載の印刷装置において、ユーザー入力手段から印刷時にスタンプが指定可能である印刷装置を主要な特徴とする。
請求項５記載の発明は、請求項１記載の印刷装置において、ユーザー入力手段から印刷時にページ番号付加が指定可能である印刷装置を主要な特徴とする。
請求項６記載の発明は、請求項１記載の印刷装置において、ユーザー入力手段から印刷時に紙種が指定可能である印刷装置を主要な特徴とする。
【０００５】
【発明の実施の形態】
以下、図面により本発明の実施の形態を詳細に説明する。図１は本発明の印刷装置の構成図である。本印刷装置は、ホストＩ／Ｆ１、記憶媒体（例えばＨＤＤ）２、メモリ３、ＲＯＭ４、ユーザーＩ／Ｆ５、エンジンＩ／Ｆ６、複数給紙段７、複数排紙段８、後処理装置９を備えている。
ＲＯＭ４に格納されている制御プログラムがメモリ３へ展開され動作する。ホストＩ／Ｆ１より受信された親展ジョブは制御プログラムにより記憶媒体２に蓄積される。ユーザーＩ／Ｆ５より暗証番号が入力されると、制御プログラムは記憶媒体２から親展ジョブを読み込み、メモリ３においてビットマップデータに展開する。そしてこのビットマップデータはエンジンＩ／Ｆ６よりエンジンへ転送され印刷される。
図２は本発明の印刷装置の第１の実施形態を示す機能ブロック図である。第１の実施形態の印刷装置は、機能ブロックとして、ジョブ受信手段１１、記憶手段１２（図１の記憶媒体）、暗証番号、部数の入力解析手段１３、ビットマップ展開手段１４、部数通知手段１５、ビットマップ転送手段１６、ユーザー入力手段１７、印刷手段（エンジン）１８を備える。
ユーザーＩ／Ｆ５から暗証番号の入力後、印刷部数指定の入力がされる。これが入力解析手段１３で解析される。ビットマップ展開手段１４によりメモリ３に展開されたビットマップデータをエンジンＩ／Ｆ６より印刷手段１８へ転送する。これを指定部数繰り返し、指定部数印刷される。
図３（１）、（２）は第１の実施形態の制御フローチャートである。Ｓ１〜Ｓ６及びＳ１１〜Ｓ１５において上記の処理が実行される。
即ち、印刷ジョブを受信した場合に記憶媒体２に記憶され（Ｓ１、Ｓ２）、親展印刷指定がなされている場合には（Ｓ３  Ｙｅｓ）、メモリ３にビットマップデータが展開され、印刷が行われる（Ｓ４、５、６）。
また、暗証番号が入力され、この番号が登録された番号と合致する場合には（Ｓ１１、１２）、部数入力が行われ、部数情報が設定された後で、親展印刷指定が行われる（Ｓ１３、１４、１５）。
【０００６】
図４は本発明の印刷装置の第２の実施形態を示す機能ブロック図である。第２の実施形態の印刷装置は、機能ブロックとして、ジョブ受信手段１１、記憶手段１２（図１の記憶媒体）、暗証番号、部数、ソートの入力解析手段１３、ビットマップ展開手段１４、部数通知手段１５、ビットマップ転送手段１６、ユーザー入力手段１７、印刷手段（エンジン）１８、排紙段通知手段１９を備える。
ユーザーＩ／Ｆ５から暗証番号の入力後、印刷部数及びソート指定の入力がされる。これが入力解析手段１３で解析される。ビットマップ展開手段１４によりメモリ３に展開されたビットマップデータをエンジンＩ／Ｆ６より印刷手段１８へ転送する。これを複数排紙段８の各段に切替えながら指定部数繰り返し、ソート印刷を行う。
図５（１）、（２）は第２の実施形態の制御フローチャートである。Ｓ２１〜Ｓ２８及びＳ３１〜Ｓ３７において上記の処理が実行される。
即ち、印刷ジョブを受信した場合に記憶手段１２に記憶され（Ｓ２１、Ｓ２２）、親展印刷指定がなされている場合には（Ｓ２３  Ｙｅｓ）、メモリ３にビットマップデータが展開され（Ｓ２４）、ソート指定ある場合には（Ｓ２５  Ｙｅｓ）、排紙段の指定が行われ（Ｓ２６）、印刷が行われる（Ｓ２８）。
また、暗証番号が入力され、この番号が登録された番号と合致する場合には（Ｓ３１、３２）、部数入力が行われ、部数情報が設定された後で、ソート指定入力、ソート情報設定が行われ（Ｓ３３、３４）、その後親展印刷指定が行われる（Ｓ３５、３６、３７）。
【０００７】
図６は本発明の印刷装置の第３の実施形態を示す機能ブロック図である。第３の実施形態の印刷装置は、機能ブロックとして、ジョブ受信手段１１、記憶手段１２（図１の記憶媒体）、暗証番号、スタンプの入力解析手段１３、ビットマップ展開手段１４、ビットマップ転送手段１６、ユーザー入力手段１７、印刷手段（エンジン）１８、スタンプ印刷通知手段２０を備える。
ユーザーＩ／Ｆ５から暗証番号の入力後、スタンプ印刷の指定入力がされる。これが入力解析手段１３で解析される。制御プログラムは、ビットマップ展開手段１４によりメモリ３に展開されたビットマップデータに指定されたスタンプを付加してエンジンＩ／Ｆ６より印刷手段１８へ転送し、スタンプ印刷を行う。
図７（１）、（２）は第３の実施形態の制御フローチャートである。Ｓ４１〜Ｓ４７及びＳ５１〜Ｓ５５において上記の処理が実行される。
図８は本発明の印刷装置の第４の実施形態を示す機能ブロック図である。第４の実施形態の印刷装置は、機能ブロックとして、ジョブ受信手段１１、記憶手段１２（図１の記憶媒体）、暗証番号、ページ番号の入力解析手段１３、ビットマップ展開手段１４、ビットマップ転送手段１６、ユーザー入力手段１７、印刷手段（エンジン）１８、ページ番号通知手段２１を備える。
ユーザーＩ／Ｆ５から暗証番号の入力後、ページ番号付加の指定入力がされる。これが入力解析手段１３で解析される。制御プログラムは、ページ番号を付加してビットマップ展開手段１４によりメモリ３にビットマップデータを展開し、エンジンＩ／Ｆ６より印刷手段１８へ転送し、ページ番号が付加されたページを印刷する。
図９（１）、（２）は第４の実施形態の制御フローチャートである。Ｓ６１〜Ｓ６８及びＳ７１〜Ｓ７５において上記の処理が実行される。
【０００８】
図１０は本発明の印刷装置の第５の実施形態を示す機能ブロック図である。第５の実施形態の印刷装置は、機能ブロックとして、ジョブ受信手段１１、記憶手段１２（図１の記憶媒体）、暗証番号、紙種の入力解析手段１３、ビットマップ展開手段１４、ビットマップ転送手段１６、ユーザー入力手段１７、印刷手段（エンジン）１８、紙種通知手段２２を備える。
ユーザーＩ／Ｆ５から暗証番号の入力後、紙種の指定入力がされる。これが入力解析手段１３で解析される。指定された紙種を印刷手段１８へ通知する。ビットマップ展開手段１４によりメモリ３に展開されたビットマップデータをエンジンＩ／Ｆ６より印刷手段１８へ転送し、指定した紙種プロセスにて印刷する。
図１１（１）、（２）は第５の実施形態の制御フローチャートである。Ｓ８１〜Ｓ８７及びＳ９１〜Ｓ９５において上記の処理が実行される。
【０００９】
【発明の効果】
以上説明したように、請求項１記載の発明では、親展ジョブの印刷時に様々な設定が可能であり、親展ジョブ受信者が期待するフォーマットでの印刷出力結果を得ることができる。
請求項２記載の発明では、印刷時に印刷部数を指定可能とすることで、必要な部数の印刷が可能となり、資料作成の効率化が期待できる。
請求項３記載の発明では、印刷時に印刷部数及びソート指定を可能とすることで、ソート排紙が可能となり、仕分け作業の効率化が期待できる。
請求項４記載の発明では、印刷時にスタンプ指定を可能とすることで、スタンプの出力が可能となり、機密文書等の文書管理の効率化が期待できる。
請求項５記載の発明では、印刷時にページ番号付加指定を可能とすることで、ページ番号を付加したページの出力が可能となり、資料作成の効率化が期待できる。
請求項６記載の発明では、印刷時に紙種を指定可能とすることで、任意の紙種に印刷が可能となり、受け手の環境による制限の減少が期待できる。
【図面の簡単な説明】
【図１】本発明の印刷装置の構成図である。
【図２】本発明の印刷装置の第１の実施形態を示す機能ブロック図である。
【図３】（１）、（２）は第１の実施形態の制御フローチャートである。
【図４】本発明の印刷装置の第２の実施形態を示す機能ブロック図である。
【図５】（１）、（２）は第２の実施形態の制御フローチャートである。
【図６】本発明の印刷装置の第３の実施形態を示す機能ブロック図である。
【図７】（１）、（２）は第３の実施形態の制御フローチャートである。
【図８】本発明の印刷装置の第４の実施形態を示す機能ブロック図である。
【図９】（１）、（２）は第４の実施形態の制御フローチャートである。
【図１０】本発明の印刷装置の第５の実施形態を示す機能ブロック図である。
【図１１】（１）、（２）は第５の実施形態の制御フローチャートである。
【符号の説明】
２  記憶媒体、５  ユーザーＩ／Ｆ、７  複数給紙段、８  複数排紙段、９  後処理装置、１７  ユーザー入力手段
【図１】
2004148683.tif 000003
【図２】
2004148683.tif 000004
【図３】
2004148683.tif 000005
【図４】
2004148683.tif 000006
【図５】
2004148683.tif 000007
【図６】
2004148683.tif 000008
【図７】
2004148683.tif 000009
【図８】
2004148683.tif 000010
【図９】
2004148683.tif 000011
【図１０】
2004148683.tif 000012
【図１１】
2004148683.tif 000013